(57)【特許請求の範囲】
【請求項１】
クライアント端末とウェブサーバと通信可能に接続され、前記ウェブサーバから取得した、開始タグと終了タグで構成される表示情報を処理するウェブ管理装置であって、
前記ウェブサーバから取得した表示情報で閲覧制限をする領域を特定するための第１の表示制限検出情報を記憶する表示制限検出情報記憶手段と、
前記ウェブサーバから取得した表示情報内の前記第１の表示制限検出情報が含まれる開始タグと終了タグ内の領域を特定する特定手段と、
前記第１の表示制限検出情報が含まれない領域の表示情報を閲覧制限する閲覧制限表示情報に変更することなく、前記特定された領域の内容の閲覧制限をするべく、前記第１の表示制限検出情報が含まれる開始タグと終了タグ内の領域の表示情報を、ユーザの操作によって閲覧制限した内容を表示させるための表示要求をすることが可能な領域識別情報を含む閲覧制限表示情報に変更する変更手段と、
前記変更手段で変更した前記閲覧制限表示情報を含む表示情報を、前記クライアント端末で表示するべく送信する第１の送信手段と、
ユーザによる前記閲覧制限表示情報の指示に従って、前記クライアント端末から前記指示のあった閲覧制限表示情報の領域識別情報を含む表示要求を受信する受信手段と、
前記表示要求を前記クライアント端末から受信した際に、前記表示要求に含まれる領域識別情報に対応する領域の第２の表示制限検出情報を、前記表示制限検出情報記憶手段で記憶する前記第１の表示制限検出情報から削除する削除手段と、
前記受信した表示要求に含まれる領域識別情報に対応する領域の内容を表示するべく、前記特定手段で、前記削除手段で前記第２の表示制限検出情報が削除された前記第１の表示制限検出情報が含まれる開始タグと終了タグ内の領域を特定し、前記変更手段で、前記特定した領域の表示情報をユーザの操作によって閲覧制限した内容を表示させるための表示要求をすることが可能な領域識別情報を含む閲覧制限表示情報に変更した、前記表示要求に含まれる領域識別情報の開始タグと終了タグ内の領域の表示情報を閲覧制限しない表示情報を前記クライアント端末へ送信する第２の送信手段と、
を備えることを特徴とするウェブ管理装置。
【請求項２】
前記ウェブ管理装置は前記クライアント端末から受けたＵＲＬに従って表示情報を取得することを特徴とし、
前記ＵＲＬを記憶するＵＲＬ記憶手段を更に備え、
前記第２の送信手段で送信される表示情報は、前記ＵＲＬ記憶手段で記憶されたＵＲＬに従って再度取得した表示情報に従って変更された表示情報であることを特徴とする請求項１に記載のウェブ管理装置。
【請求項３】
前記クライアント端末で入力されたユーザ情報を受信するユーザ情報受信手段と、
前記受信したユーザ情報に従って認証する認証手段とを更に備え、
前記第１の送信手段は、前記ユーザ情報が認証された場合に前記変更手段で変更された前記閲覧制限表示情報を含む表示情報を送信し、前記ユーザ情報が認証されなかった場合に前記ウェブサーバから取得した表示情報を送信しないことを特徴とする請求項１又は２に記載のウェブ管理装置。
【請求項４】
前記受信した表示要求に従って、前記ＵＲＬ、前記ユーザ情報及び前記削除した第２の表示制限検出情報を紐付けて履歴を記憶する履歴記憶手段を備えることを特徴とする請求項３に記載のウェブ管理装置。
【請求項５】
ウェブサーバから取得した、開始タグと終了タグで構成される表示情報を処理するウェブ管理装置とクライアント端末とが接続されるウェブシステムであって、
前記ウェブ管理装置は、
前記ウェブサーバから取得した表示情報で閲覧制限をする領域を特定するための第１の表示制限検出情報を記憶する表示制限検出情報記憶手段と、
前記ウェブサーバから取得した表示情報内の前記第１の表示制限検出情報が含まれる開始タグと終了タグ内の領域を特定する特定手段と、
前記第１の表示制限検出情報が含まれない領域の表示情報を閲覧制限する閲覧制限表示情報に変更することなく、前記特定された領域の内容の閲覧制限をするべく、前記第１の表示制限検出情報が含まれる開始タグと終了タグ内の領域の表示情報を、ユーザの操作によって閲覧制限した内容を表示させるための表示要求をすることが可能な領域識別情報を含む閲覧制限表示情報に変更する変更手段と、
前記変更手段で変更した前記閲覧制限表示情報を含む表示情報を、前記クライアント端末で表示するべく送信する第１の送信手段と、
ユーザによる前記閲覧制限表示情報の指示に従って、前記クライアント端末から前記指示のあった閲覧制限表示情報の領域識別情報を含む表示要求を受信する受信手段と、
前記表示要求を前記クライアント端末から受信した際に、前記表示要求に含まれる領域識別情報に対応する領域の第２の表示制限検出情報を、前記表示制限検出情報記憶手段で記憶する前記第１の表示制限検出情報から削除する削除手段と、
前記受信した表示要求に含まれる領域識別情報に対応する領域の内容を表示するべく、前記特定手段で、前記削除手段で前記第２の表示制限検出情報が削除された前記第１の表示制限検出情報が含まれる開始タグと終了タグ内の領域を特定し、前記変更手段で、前記特定した領域の表示情報をユーザの操作によって閲覧制限した内容を表示させるための表示要求をすることが可能な領域識別情報を含む閲覧制限表示情報に変更した、前記表示要求に含まれる領域識別情報の開始タグと終了タグ内の領域の表示情報を閲覧制限しない表示情報を前記クライアント端末へ送信する第２の送信手段と、を備え、
前記クライアント端末は、
前記ウェブ管理装置から前記表示情報を受信する受信手段と、
前記受信した表示情報を表示する表示手段を備えることを特徴とするウェブシステム。
【請求項６】
クライアント端末とウェブサーバと通信可能に接続され、前記ウェブサーバから取得した、開始タグと終了タグで構成される表示情報を処理し、前記ウェブサーバから取得した表示情報で閲覧制限をする領域を特定するための第１の表示制限検出情報を記憶する表示制限検出情報記憶手段を備えるウェブ管理装置が実行するウェブ管理方法であって、
前記ウェブサーバから取得した表示情報内の前記第１の表示制限検出情報が含まれる開始タグと終了タグ内の領域を特定する特定ステップと、
前記第１の表示制限検出情報が含まれない領域の表示情報を閲覧制限する閲覧制限表示情報に変更することなく、前記特定された領域の内容の閲覧制限をするべく、前記第１の表示制限検出情報が含まれる開始タグと終了タグ内の領域の表示情報を、ユーザの操作によって閲覧制限した内容を表示させるための表示要求をすることが可能な領域識別情報を含む閲覧制限表示情報に変更する変更ステップと、
前記変更ステップで変更した前記閲覧制限表示情報を含む表示情報を、前記クライアント端末で表示するべく送信する第１の送信ステップと、
ユーザによる前記閲覧制限表示情報の指示に従って、前記クライアント端末から前記指示のあった閲覧制限表示情報の領域識別情報を含む表示要求を受信する受信ステップと、
前記表示要求を前記クライアント端末から受信した際に、前記表示要求に含まれる領域識別情報に対応する領域の第２の表示制限検出情報を、前記表示制限検出情報記憶手段で記憶する前記第１の表示制限検出情報から削除する削除ステップと、
前記受信した表示要求に含まれる領域識別情報に対応する領域の内容を表示するべく、前記特定ステップで、前記削除ステップで前記第２の表示制限検出情報が削除された前記第１の表示制限検出情報が含まれる開始タグと終了タグ内の領域を特定し、前記変更ステップで、前記特定した領域の表示情報をユーザの操作によって閲覧制限した内容を表示させるための表示要求をすることが可能な領域識別情報を含む閲覧制限表示情報に変更した、前記表示要求に含まれる領域識別情報の開始タグと終了タグ内の領域の表示情報を閲覧制限しない表示情報を前記クライアント端末へ送信する第２の送信ステップと、
を含むことを特徴とするウェブ管理方法。
【請求項７】
ウェブサーバから取得した、開始タグと終了タグで構成される表示情報を処理し、前記ウェブサーバから取得した表示情報で閲覧制限をする領域を特定するための第１の表示制限検出情報を記憶する表示制限検出情報記憶手段を備えるウェブ管理装置とクライアント端末とが接続されるウェブシステムが実行するウェブ管理方法であって、
前記ウェブ管理装置が、
前記ウェブサーバから取得した表示情報内の前記第１の表示制限検出情報が含まれる開始タグと終了タグ内の領域を特定する特定ステップと、
前記第１の表示制限検出情報が含まれない領域の表示情報を閲覧制限する閲覧制限表示情報に変更することなく、前記特定された領域の内容の閲覧制限をするべく、前記第１の表示制限検出情報が含まれる開始タグと終了タグ内の領域の表示情報を、ユーザの操作によって閲覧制限した内容を表示させるための表示要求をすることが可能な領域識別情報を含む閲覧制限表示情報に変更する変更ステップと、
前記変更ステップで変更した前記閲覧制限表示情報を含む表示情報を、前記クライアント端末で表示するべく送信する第１の送信ステップと、
ユーザによる前記閲覧制限表示情報の指示に従って、前記クライアント端末から前記指示のあった閲覧制限表示情報の領域識別情報を含む表示要求を受信する受信ステップと、
前記表示要求を前記クライアント端末から受信した際に、前記表示要求に含まれる領域識別情報に対応する領域の第２の表示制限検出情報を、前記表示制限検出情報記憶手段で記憶する前記第１の表示制限検出情報から削除する削除ステップと、
前記受信した表示要求に含まれる領域識別情報に対応する領域の内容を表示するべく、前記特定ステップで、前記削除ステップで前記第２の表示制限検出情報が削除された前記第１の表示制限検出情報が含まれる開始タグと終了タグ内の領域を特定し、前記変更ステップで、前記特定した領域の表示情報をユーザの操作によって閲覧制限した内容を表示させるための表示要求をすることが可能な領域識別情報を含む閲覧制限表示情報に変更した、前記表示要求に含まれる領域識別情報の開始タグと終了タグ内の領域の表示情報を閲覧制限しない表示情報を前記クライアント端末へ送信する第２の送信ステップと、を含み、
前記クライアント端末が、
前記ウェブ管理装置から前記表示情報を受信する受信ステップと、
前記受信した表示情報を表示する表示ステップを含むことを特徴とするウェブ管理方法。
【請求項８】
クライアント端末とウェブサーバと通信可能に接続され、前記ウェブサーバから取得した、開始タグと終了タグで構成される表示情報を処理するウェブ管理装置で実行可能なプログラムであって、
前記ウェブ管理装置を、
前記ウェブサーバから取得した表示情報で閲覧制限をする領域を特定するための第１の表示制限検出情報を記憶する表示制限検出情報記憶手段と、
前記ウェブサーバから取得した表示情報内の前記第１の表示制限検出情報が含まれる開始タグと終了タグ内の領域を特定する特定手段と、
前記第１の表示制限検出情報が含まれない領域の表示情報を閲覧制限する閲覧制限表示情報に変更することなく、前記特定された領域の内容の閲覧制限をするべく、前記第１の表示制限検出情報が含まれる開始タグと終了タグ内の領域の表示情報を、ユーザの操作によって閲覧制限した内容を表示させるための表示要求をすることが可能な領域識別情報を含む閲覧制限表示情報に変更する変更手段と、
前記変更手段で変更した前記閲覧制限表示情報を含む表示情報を、前記クライアント端末で表示するべく送信する第１の送信手段と、
ユーザによる前記閲覧制限表示情報の指示に従って、前記クライアント端末から前記指示のあった閲覧制限表示情報の領域識別情報を含む表示要求を受信する受信手段と、
前記表示要求を前記クライアント端末から受信した際に、前記表示要求に含まれる領域識別情報に対応する領域の第２の表示制限検出情報を、前記表示制限検出情報記憶手段で記憶する前記第１の表示制限検出情報から削除する削除手段と、
前記受信した表示要求に含まれる領域識別情報に対応する領域の内容を表示するべく、前記特定手段で、前記削除手段で前記第２の表示制限検出情報が削除された前記第１の表示制限検出情報が含まれる開始タグと終了タグ内の領域を特定し、前記変更手段で、前記特定した領域の表示情報をユーザの操作によって閲覧制限した内容を表示させるための表示要求をすることが可能な領域識別情報を含む閲覧制限表示情報に変更した、前記表示要求に含まれる領域識別情報の開始タグと終了タグ内の領域の表示情報を閲覧制限しない表示情報を前記クライアント端末へ送信する第２の送信手段と、
して機能させることを特徴とするプログラム。
【請求項９】
ウェブサーバから取得した、開始タグと終了タグで構成される表示情報を処理するウェブ管理装置とクライアント端末とが接続されるウェブシステムで実行可能なプログラムであって、
前記ウェブ管理装置を、
前記ウェブサーバから取得した表示情報で閲覧制限をする領域を特定するための第１の表示制限検出情報を記憶する表示制限検出情報記憶手段と、
前記ウェブサーバから取得した表示情報内の前記第１の表示制限検出情報が含まれる開始タグと終了タグ内の領域を特定する特定手段と、
前記第１の表示制限検出情報が含まれない領域の表示情報を閲覧制限する閲覧制限表示情報に変更することなく、前記特定された領域の内容の閲覧制限をするべく、前記第１の表示制限検出情報が含まれる開始タグと終了タグ内の領域の表示情報を、ユーザの操作によって閲覧制限した内容を表示させるための表示要求をすることが可能な領域識別情報を含む閲覧制限表示情報に変更する変更手段と、
前記変更手段で変更した前記閲覧制限表示情報を含む表示情報を、前記クライアント端末で表示するべく送信する第１の送信手段と、
ユーザによる前記閲覧制限表示情報の指示に従って、前記クライアント端末から前記指示のあった閲覧制限表示情報の領域識別情報を含む表示要求を受信する受信手段と、
前記表示要求を前記クライアント端末から受信した際に、前記表示要求に含まれる領域識別情報に対応する領域の第２の表示制限検出情報を、前記表示制限検出情報記憶手段で記憶する前記第１の表示制限検出情報から削除する削除手段と、
前記受信した表示要求に含まれる領域識別情報に対応する領域の内容を表示するべく、前記特定手段で、前記削除手段で前記第２の表示制限検出情報が削除された前記第１の表示制限検出情報が含まれる開始タグと終了タグ内の領域を特定し、前記変更手段で、前記特定した領域の表示情報をユーザの操作によって閲覧制限した内容を表示させるための表示要求をすることが可能な領域識別情報を含む閲覧制限表示情報に変更した、前記表示要求に含まれる領域識別情報の開始タグと終了タグ内の領域の表示情報を閲覧制限しない表示情報を前記クライアント端末へ送信する第２の送信手段として機能させ、
前記クライアント端末を、
前記ウェブ管理装置から前記表示情報を受信する受信手段と、
前記受信した表示情報を表示する表示手段として機能させることを特徴とするプログラム。
【発明の詳細な説明】
【技術分野】
【０００１】
本発明は、企業等が、企業内部のユーザに対してネットワーク接続の制限を設け、ＷＥＢページの一部を非表示とするシステム、及びＷＥＢページが非表示とされた部分の非表示を解除して表示させるシステムに関するものである。
【背景技術】
【０００２】
現在、業務以外でのインターネット等のネットワーク接続を禁止するため、ＷＥＢページにアクセスできないよう制限を設けて運用を図っている企業がある。
【０００３】
その際、企業側が特定のＷＥＢページのＵＲＬ（Uniform Resource Locator）を設定しておき、当該ＵＲＬに企業内のユーザからアクセスがあった場合に表示を禁止する制御を行っている。或いは、予め設定した禁止字句（キーワード）が含まれるＷＥＢページについては、当該ＷＥＢページ全体を表示禁止にするような制御を行っている。
【０００４】
ＷＥＢページの表示を制御する仕組みも考えられており、あらかじめＷＥＢページごとにアクセス制御設定ファイルを作成しておくことで、アクセスしたユーザによってＷＥＢページの表示内容を変更することができるようにするＷＥＢページのアクセス制御装置を提供するものがある（特許文献１）。
【０００５】
また、あらかじめ各個人が表示させたくない語句をデータベースに登録しておくことで、ユーザ別に表示を部分的に制限できるようにする仕組みが考えられている（例えば、特許文献２）。
【０００６】
【特許文献１】特開平１１−１６１６０２号公報
【特許文献２】特開２００２−７７７５３号公報
【発明の開示】
【発明が解決しようとする課題】
【０００７】
しかしながら、特許文献１によるＷＥＢページのアクセス制限装置及び方法では、ＷＥＢページごとにアクセス制限設定ファイルを作成する必要があり、インターネット等の大量のＷＥＢページを扱う環境で設定するのは非常に困難であった。
【０００８】
また、特許文献２における画像表示技術を使った表示装置の表示方法では、表示制限により書き換えられたページの情報が必要になった場合に、ページ上で表示制限を解除してすぐにその必要な部分を表示させることはできなかった。
【０００９】
最近では、ネットワークを介して様々な情報を収集し、業務に役立てているため、ある特定キーワードが含まれているＷＥＢページを表示させないようなシステムでは、必要な情報も収集できず、業務の遂行の妨げとなっていた。
【００１０】
特に営業業務従事者等は、様々な話題を収集し、その情報を活用して客先と接することが多く、営業業務従事者にとってＷＥＢページの閲覧などに制限がかかってアクセスできないことが大きな問題となっていた。
【００１１】
本発明の目的は、ＷＥＢページ内で表示制限情報が含まれる開始タグと終了タグ内の領域を閲覧制限することで、ＷＥＢページの閲覧制限を行うことができる仕組みを提供することである。
【課題を解決するための手段】
【００１２】
前述した目的を達成するために第１の発明は、クライアント端末とウェブサーバと通信可能に接続され、前記ウェブサーバから取得した、開始タグと終了タグで構成される表示情報を処理するウェブ管理装置であって、前記ウェブサーバから取得した表示情報で閲覧制限をする領域を特定するための第１の表示制限検出情報を記憶する表示制限検出情報記憶手段と、前記ウェブサーバから取得した表示情報内の前記第１の表示制限検出情報が含まれる開始タグと終了タグ内の領域を特定する特定手段と、前記第１の表示制限検出情報が含まれない領域の表示情報を閲覧制限する閲覧制限表示情報に変更することなく、前記特定された領域の内容の閲覧制限をするべく、前記第１の表示制限検出情報が含まれる開始タグと終了タグ内の領域の表示情報を、ユーザの操作によって閲覧制限した内容を表示させるための表示要求をすることが可能な領域識別情報を含む閲覧制限表示情報に変更する変更手段と、前記変更手段で変更した前記閲覧制限表示情報を含む表示情報を、前記クライアント端末で表示するべく送信する第１の送信手段と、ユーザによる前記閲覧制限表示情報の指示に従って、前記クライアント端末から前記指示のあった閲覧制限表示情報の領域識別情報を含む表示要求を受信する受信手段と、前記表示要求を前記クライアント端末から受信した際に、前記表示要求に含まれる領域識別情報に対応する領域の第２の表示制限検出情報を、前記表示制限検出情報記憶手段で記憶する前記第１の表示制限検出情報から削除する削除手段と、前記受信した表示要求に含まれる領域識別情報に対応する領域の内容を表示するべく、前記特定手段で、前記削除手段で前記第２の表示制限検出情報が削除された前記第１の表示制限検出情報が含まれる開始タグと終了タグ内の領域を特定し、前記変更手段で、前記特定した領域の表示情報をユーザの操作によって閲覧制限した内容を表示させるための表示要求をすることが可能な領域識別情報を含む閲覧制限表示情報に変更した、前記表示要求に含まれる領域識別情報の開始タグと終了タグ内の領域の表示情報を閲覧制限しない表示情報を前記クライアント端末へ送信する第２の送信手段と、を備えることを特徴とするウェブ管理装置である。
【００１３】
第１の発明のウェブ管理装置は、クライアント端末とウェブサーバと通信可能に接続され、ウェブサーバから取得した、開始タグと終了タグで構成される表示情報を処理する。ウェブ管理装置は、ウェブサーバから取得した表示情報で閲覧制限をする領域を特定するための第１の表示制限検出情報を記憶し、ウェブサーバから取得した表示情報内の第１の表示制限検出情報が含まれる開始タグと終了タグ内の領域を特定する。ウェブ管理装置は、第１の表示制限検出情報が含まれない領域の表示情報を閲覧制限する閲覧制限表示情報に変更することなく、特定された領域の内容の閲覧制限をするべく、第１の表示制限検出情報が含まれる開始タグと終了タグ内の領域の表示情報を、ユーザの操作によって閲覧制限した内容を表示させるための表示要求をすることが可能な領域識別情報を含む閲覧制限表示情報に変更し、変更した閲覧制限表示情報を含む表示情報を、クライアント端末で表示するべく送信する。ウェブ管理装置は、ユーザによる閲覧制限表示情報の指示に従って、クライアント端末から指示のあった閲覧制限表示情報の領域識別情報を含む表示要求を受信し、表示要求をクライアント端末から受信した際に、表示要求に含まれる領域識別情報に対応する領域の第２の表示制限検出情報を、表示制限検出情報記憶手段で記憶する第１の表示制限検出情報から削除する。また、ウェブ管理装置は、受信した表示要求に含まれる領域識別情報に対応する領域の内容を表示するべく、第２の表示制限検出情報が削除された第１の表示制限検出情報が含まれる開始タグと終了タグ内の領域を特定し、特定した領域の表示情報をユーザの操作によって閲覧制限した内容を表示させるための表示要求をすることが可能な領域識別情報を含む閲覧制限表示情報に変更した、表示要求に含まれる領域識別情報の開始タグと終了タグ内の領域の表示情報を閲覧制限しない表示情報をクライアント端末へ送信する。
【００１４】
表示制限検出情報は、ウェブページ等の表示情報の表示制限に関する情報である。表示制限検出情報は、例えば、クライアント端末のユーザ毎あるいはグループ毎に設定された禁止字句に関する情報である。
【００１５】
また、ウェブ管理装置は、前記クライアント端末から受けたＵＲＬに従って表示情報を取得し、前記ＵＲＬを記憶するＵＲＬ記憶手段を更に備え、前記第２の送信手段で送信される表示情報は、前記ＵＲＬ記憶手段で記憶されたＵＲＬに従って再度取得した表示情報に従って変更された表示情報であることが望ましい。
また、前記クライアント端末で入力されたユーザ情報を受信するユーザ情報受信手段と、前記受信したユーザ情報に従って認証する認証手段とを更に備え、前記第１の送信手段は、前記ユーザ情報が認証された場合に前記変更手段で変更された前記閲覧制限表示情報を含む表示情報を送信し、前記ユーザ情報が認証されなかった場合に前記ウェブサーバから取得した表示情報を送信しないことが望ましい。
また、前記受信した表示要求に従って、前記ＵＲＬ、前記ユーザ情報及び前記削除した第２の表示制限検出情報を紐付けて履歴を記憶する履歴記憶手段を備えることが望ましい。
【００１６】
第１の発明によるウェブ管理装置は、クライアント端末からのＷＥＢファイル表示要求に対し、所定の領域を非表示情報に置換して加工したＷＥＢファイルを提供するので、ウェブ管理装置からのＷＥＢファイル閲覧を効率的に制御する効果がある。また、クライアント端末からの表示要求に応じて表示制限された領域を表示させることもできる。また、表示要求履歴を保持するので管理者が容易にクライアント端末を管理することができる。
【００１９】
第２の発明は、ウェブサーバから取得した、開始タグと終了タグで構成される表示情報を処理するウェブ管理装置とクライアント端末とが接続されるウェブシステムであって、前記ウェブ管理装置は、前記ウェブサーバから取得した表示情報で閲覧制限をする領域を特定するための第１の表示制限検出情報を記憶する表示制限検出情報記憶手段と、前記ウェブサーバから取得した表示情報内の前記第１の表示制限検出情報が含まれる開始タグと終了タグ内の領域を特定する特定手段と、前記第１の表示制限検出情報が含まれない領域の表示情報を閲覧制限する閲覧制限表示情報に変更することなく、前記特定された領域の内容の閲覧制限をするべく、前記第１の表示制限検出情報が含まれる開始タグと終了タグ内の領域の表示情報を、ユーザの操作によって閲覧制限した内容を表示させるための表示要求をすることが可能な領域識別情報を含む閲覧制限表示情報に変更する変更手段と、前記変更手段で変更した前記閲覧制限表示情報を含む表示情報を、前記クライアント端末で表示するべく送信する第１の送信手段と、ユーザによる前記閲覧制限表示情報の指示に従って、前記クライアント端末から前記指示のあった閲覧制限表示情報の領域識別情報を含む表示要求を受信する受信手段と、前記表示要求を前記クライアント端末から受信した際に、前記表示要求に含まれる領域識別情報に対応する領域の第２の表示制限検出情報を、前記表示制限検出情報記憶手段で記憶する前記第１の表示制限検出情報から削除する削除手段と、前記受信した表示要求に含まれる領域識別情報に対応する領域の内容を表示するべく、前記特定手段で、前記削除手段で前記第２の表示制限検出情報が削除された前記第１の表示制限検出情報が含まれる開始タグと終了タグ内の領域を特定し、前記変更手段で、前記特定した領域の表示情報をユーザの操作によって閲覧制限した内容を表示させるための表示要求をすることが可能な領域識別情報を含む閲覧制限表示情報に変更した、前記表示要求に含まれる領域識別情報の開始タグと終了タグ内の領域の表示情報を閲覧制限しない表示情報を前記クライアント端末へ送信する第２の送信手段と、を備え、前記クライアント端末は、前記ウェブ管理装置から前記表示情報を受信する受信手段と、前記受信した表示情報を表示する表示手段を備えることを特徴とするウェブシステムである。
第２の発明は、ウェブ管理装置とクライアント端末とが接続されて構成されるウェブシステムに関する発明である。
【００２０】
第３の発明は、クライアント端末とウェブサーバと通信可能に接続され、前記ウェブサーバから取得した、開始タグと終了タグで構成される表示情報を処理し、前記ウェブサーバから取得した表示情報で閲覧制限をする領域を特定するための第１の表示制限検出情報を記憶する表示制限検出情報記憶手段を備えるウェブ管理装置が実行するウェブ管理方法であって、前記ウェブサーバから取得した表示情報内の前記第１の表示制限検出情報が含まれる開始タグと終了タグ内の領域を特定する特定ステップと、前記第１の表示制限検出情報が含まれない領域の表示情報を閲覧制限する閲覧制限表示情報に変更することなく、前記特定された領域の内容の閲覧制限をするべく、前記第１の表示制限検出情報が含まれる開始タグと終了タグ内の領域の表示情報を、ユーザの操作によって閲覧制限した内容を表示させるための表示要求をすることが可能な領域識別情報を含む閲覧制限表示情報に変更する変更ステップと、前記変更ステップで変更した前記閲覧制限表示情報を含む表示情報を、前記クライアント端末で表示するべく送信する第１の送信ステップと、ユーザによる前記閲覧制限表示情報の指示に従って、前記クライアント端末から前記指示のあった閲覧制限表示情報の領域識別情報を含む表示要求を受信する受信ステップと、前記表示要求を前記クライアント端末から受信した際に、前記表示要求に含まれる領域識別情報に対応する領域の第２の表示制限検出情報を、前記表示制限検出情報記憶手段で記憶する前記第１の表示制限検出情報から削除する削除ステップと、前記受信した表示要求に含まれる領域識別情報に対応する領域の内容を表示するべく、前記特定ステップで、前記削除ステップで前記第２の表示制限検出情報が削除された前記第１の表示制限検出情報が含まれる開始タグと終了タグ内の領域を特定し、前記変更ステップで、前記特定した領域の表示情報をユーザの操作によって閲覧制限した内容を表示させるための表示要求をすることが可能な領域識別情報を含む閲覧制限表示情報に変更した、前記表示要求に含まれる領域識別情報の開始タグと終了タグ内の領域の表示情報を閲覧制限しない表示情報を前記クライアント端末へ送信する第２の送信ステップと、を含むことを特徴とするウェブ管理方法である。
第３の発明は、第１の発明のウェブ管理装置が実行するウェブ管理方法に関する発明である。
【００２１】
第４の発明は、ウェブサーバから取得した、開始タグと終了タグで構成される表示情報を処理し、前記ウェブサーバから取得した表示情報で閲覧制限をする領域を特定するための第１の表示制限検出情報を記憶する表示制限検出情報記憶手段を備えるウェブ管理装置とクライアント端末とが接続されるウェブシステムが実行するウェブ管理方法であって、前記ウェブ管理装置が、前記ウェブサーバから取得した表示情報内の前記第１の表示制限検出情報が含まれる開始タグと終了タグ内の領域を特定する特定ステップと、前記第１の表示制限検出情報が含まれない領域の表示情報を閲覧制限する閲覧制限表示情報に変更することなく、前記特定された領域の内容の閲覧制限をするべく、前記第１の表示制限検出情報が含まれる開始タグと終了タグ内の領域の表示情報を、ユーザの操作によって閲覧制限した内容を表示させるための表示要求をすることが可能な領域識別情報を含む閲覧制限表示情報に変更する変更ステップと、前記変更ステップで変更した前記閲覧制限表示情報を含む表示情報を、前記クライアント端末で表示するべく送信する第１の送信ステップと、ユーザによる前記閲覧制限表示情報の指示に従って、前記クライアント端末から前記指示のあった閲覧制限表示情報の領域識別情報を含む表示要求を受信する受信ステップと、
前記表示要求を前記クライアント端末から受信した際に、前記表示要求に含まれる領域識別情報に対応する領域の第２の表示制限検出情報を、前記表示制限検出情報記憶手段で記憶する前記第１の表示制限検出情報から削除する削除ステップと、前記受信した表示要求に含まれる領域識別情報に対応する領域の内容を表示するべく、前記特定ステップで、前記削除ステップで前記第２の表示制限検出情報が削除された前記第１の表示制限検出情報が含まれる開始タグと終了タグ内の領域を特定し、前記変更ステップで、前記特定した領域の表示情報をユーザの操作によって閲覧制限した内容を表示させるための表示要求をすることが可能な領域識別情報を含む閲覧制限表示情報に変更した、前記表示要求に含まれる領域識別情報の開始タグと終了タグ内の領域の表示情報を閲覧制限しない表示情報を前記クライアント端末へ送信する第２の送信ステップと、を含み、前記クライアント端末が、前記ウェブ管理装置から前記表示情報を受信する受信ステップと、前記受信した表示情報を表示する表示ステップを含むことを特徴とするウェブ管理方法である。
第４の発明は、第２の発明のウェブ管理システムが実行するウェブ管理方法に関する発明である。
【００２２】
第５の発明は、クライアント端末とウェブサーバと通信可能に接続され、前記ウェブサーバから取得した、開始タグと終了タグで構成される表示情報を処理するウェブ管理装置で実行可能なプログラムであって、前記ウェブ管理装置を、前記ウェブサーバから取得した表示情報で閲覧制限をする領域を特定するための第１の表示制限検出情報を記憶する表示制限検出情報記憶手段と、前記ウェブサーバから取得した表示情報内の前記第１の表示制限検出情報が含まれる開始タグと終了タグ内の領域を特定する特定手段と、前記第１の表示制限検出情報が含まれない領域の表示情報を閲覧制限する閲覧制限表示情報に変更することなく、前記特定された領域の内容の閲覧制限をするべく、前記第１の表示制限検出情報が含まれる開始タグと終了タグ内の領域の表示情報を、ユーザの操作によって閲覧制限した内容を表示させるための表示要求をすることが可能な領域識別情報を含む閲覧制限表示情報に変更する変更手段と、前記変更手段で変更した前記閲覧制限表示情報を含む表示情報を、前記クライアント端末で表示するべく送信する第１の送信手段と、ユーザによる前記閲覧制限表示情報の指示に従って、前記クライアント端末から前記指示のあった閲覧制限表示情報の領域識別情報を含む表示要求を受信する受信手段と、前記表示要求を前記クライアント端末から受信した際に、前記表示要求に含まれる領域識別情報に対応する領域の第２の表示制限検出情報を、前記表示制限検出情報記憶手段で記憶する前記第１の表示制限検出情報から削除する削除手段と、前記受信した表示要求に含まれる領域識別情報に対応する領域の内容を表示するべく、前記特定手段で、前記削除手段で前記第２の表示制限検出情報が削除された前記第１の表示制限検出情報が含まれる開始タグと終了タグ内の領域を特定し、前記変更手段で、前記特定した領域の表示情報をユーザの操作によって閲覧制限した内容を表示させるための表示要求をすることが可能な領域識別情報を含む閲覧制限表示情報に変更した、前記表示要求に含まれる領域識別情報の開始タグと終了タグ内の領域の表示情報を閲覧制限しない表示情報を前記クライアント端末へ送信する第２の送信手段と、して機能させることを特徴とするプログラムである。
【００２３】
第６の発明は、ウェブサーバから取得した、開始タグと終了タグで構成される表示情報を処理するウェブ管理装置とクライアント端末とが接続されるウェブシステムで実行可能なプログラムであって、前記ウェブ管理装置を、前記ウェブサーバから取得した表示情報で閲覧制限をする領域を特定するための第１の表示制限検出情報を記憶する表示制限検出情報記憶手段と、前記ウェブサーバから取得した表示情報内の前記第１の表示制限検出情報が含まれる開始タグと終了タグ内の領域を特定する特定手段と、前記第１の表示制限検出情報が含まれない領域の表示情報を閲覧制限する閲覧制限表示情報に変更することなく、前記特定された領域の内容の閲覧制限をするべく、前記第１の表示制限検出情報が含まれる開始タグと終了タグ内の領域の表示情報を、ユーザの操作によって閲覧制限した内容を表示させるための表示要求をすることが可能な領域識別情報を含む閲覧制限表示情報に変更する変更手段と、前記変更手段で変更した前記閲覧制限表示情報を含む表示情報を、前記クライアント端末で表示するべく送信する第１の送信手段と、ユーザによる前記閲覧制限表示情報の指示に従って、前記クライアント端末から前記指示のあった閲覧制限表示情報の領域識別情報を含む表示要求を受信する受信手段と、前記表示要求を前記クライアント端末から受信した際に、前記表示要求に含まれる領域識別情報に対応する領域の第２の表示制限検出情報を、前記表示制限検出情報記憶手段で記憶する前記第１の表示制限検出情報から削除する削除手段と、前記受信した表示要求に含まれる領域識別情報に対応する領域の内容を表示するべく、前記特定手段で、前記削除手段で前記第２の表示制限検出情報が削除された前記第１の表示制限検出情報が含まれる開始タグと終了タグ内の領域を特定し、前記変更手段で、前記特定した領域の表示情報をユーザの操作によって閲覧制限した内容を表示させるための表示要求をすることが可能な領域識別情報を含む閲覧制限表示情報に変更した、前記表示要求に含まれる領域識別情報の開始タグと終了タグ内の領域の表示情報を閲覧制限しない表示情報を前記クライアント端末へ送信する第２の送信手段として機能させ、前記クライアント端末を、前記ウェブ管理装置から前記表示情報を受信する受信手段と、前記受信した表示情報を表示する表示手段として機能させることを特徴とするプログラムである。
【００２４】
尚、上記のプログラムをＣＤ−ＲＯＭ等の記録媒体に保持させて流通させてもよいし、このプログラムを通信回線を介して送受することもできる。
【発明の効果】
【００２５】
本発明によれば、ＷＥＢページ内で表示制限情報が含まれる開始タグと終了タグ内の領域を閲覧制限することで、ＷＥＢページの閲覧制限を行うことができるＷＥＢ表示管理システムを提供することができる。
【発明を実施するための最良の形態】
【００２６】
以下に、図面に基づいて本発明の実施の形態を詳細に説明する。図１は、本実施の形態に係るＷＥＢ表示管理システム１の構成を示す図である。
【００２７】
（１．構成）
（１−１．ＷＥＢ表示管理システム１の構成）
ＷＥＢ表示管理システム１は、ネットワーク１５の接続環境を備える学校、企業等の組織３に設定するシステムである。ネットワーク１５にはＷＥＢページ等を提供する複数のＷＥＢサーバ１７−１、１７−２、１７−３・・が接続する。また、学校、企業等の組織３内には、内部のネットワークであるＬＡＮ（Local Area Network）１３を布設し、外部のネットワーク１５との間にプロキシサーバ５を設置する。
【００２８】
学校、企業等の組織３内では、ＷＥＢ表示管理サーバとしてのプロキシサーバ５と、コンピュータ等のクライアント端末装置９と、認証サーバ１１等がＬＡＮ１３で接続される。また、プロキシサーバ５は本実施の形態に係るデータ等を格納するデータベース７と接続される。
【００２９】
クライアント端末装置９は組織３内のユーザが利用するコンピュータであり、プロキシサーバ５が当該クライアント端末装置９の代理としてネットワーク１５に接続する。このようにクライアントサーバ５を立てる構成にすることで、組織３内のクライアント端末装置９にアクセス制限をかけることが可能になると共に、クライアント端末装置９のプライバシーを保護しウィルス等からの危険も回避することが可能になる。
【００３０】
また、認証サーバ１１は、クライアント端末装置９を操作するユーザが外部のネットワーク１５にログインする際に認証を行うコンピュータである。尚、独立した認証サーバ１１を置かず、ログイン認証機能をプロキシサーバ５が行うようにしてもよい。
【００３１】
本実施の形態では、クライアント端末装置９を操作するユーザが、外部のネットワーク１５に接続しようとすると、まずプロキシサーバ５がユーザにログインを要求する。ユーザ認証を受けると、ユーザが指定したＷＥＢページＵＲＬに対し、プロキシサーバ５が禁止字句（後に説明する）に基づいてＷＥＢページの表示制限をかけ、加工したＷＥＢページをクライアント端末装置９に提供する。
【００３２】
（１−２．プロキシサーバ５、クライアント端末装置９の構成）
次に、図２にプロキシサーバ５の構成を、図３にクライアント端末装置９の構成を示す。プロキシサーバ５は、コンピュータ等の情報処理端末であり、ＣＰＵ（Central Processing Unit）等の制御部１９−１と、記憶部２１−１と、キーボード、マウス又はマイク等の入力部２９−１と、ＣＲＴや液晶表示装置等の表示部３１−１と、フレキシブルディスクやＣＤ−ＲＯＭ等のメディアの読み込み書き込みを行うメディア入出力部３３−１と、プリンタ等の印刷部３５−１と、ネットワークに接続するモデムやＬＡＮボード等の通信部３７−１とから構成され、それぞれがシステムバス３９−１で接続されている。
【００３３】
記憶部２１−１は、読み書き可能なＲＡＭ（Random Access Memory）２３−１、読み出し専用のＲＯＭ（Read Only Memory）２５−１、ハードディスク２７−１で構成される。記憶部２１−１の構成は図４に示し、ＲＡＭ２３−１は、本システム動作中の主メモリ及びワーク領域等として使用され、ＲＯＭ２５−１にはＯＳ（Operating
System）４３等が記録される。また、ハードディスク２７−１には、本実施の形態に係るＷＥＢページ表示制御プログラム４１やその他各種プログラムが格納され、システム動作中の記憶領域としても使用される。
【００３４】
図３に示すクライアント端末装置９は、コンピュータ等の端末装置であり、構成は前述のプロキシサーバ５と同じである。即ち、制御部１９−２と、記憶部２１−２と、入力部２９−２と、表示部３１−２と、メディア入出力部３３−２と、印刷部３５−２と、通信部３７−２とは、それぞれプロキシサーバ５の制御部１９−１と、記憶部２１−１と、入力部２９−１と、表示部３１−１と、メディア入出力部３３−１と、印刷部３５−１と、通信部３７−１に対応する。また、クライアント端末装置９のＲＡＭ２３−２と、ＲＯＭ２５−２と、ハードディスク２７−２とは、それぞれプロキシサーバ５のＲＡＭ２３−１と、ＲＯＭ２５−１と、ハードディスク２７−１に対応する。
【００３５】
（１−３．データベース７）
次に、データベース７の構成について図５を用いて説明する。プロキシサーバ５では、本実施の形態に係るＷＥＢページ表示制御プログラム４１が動いており、データベース７を用いて各種制御を実現する。
【００３６】
データベース７は、禁止字句マスタファイル４７と、ログファイル４９と、業務名マスタファイル５１と、以下はクライアント端末装置９を利用するユーザごとに作成されるユーザ別フォルダ４５に格納する禁止字句個別マスタファイル５３と、禁止字句検出ファイル５５と、加工ＨＴＭＬファイル５７と、個別ログファイル５９とから構成される。
【００３７】
図６は、禁止字句マスタファイル４７を示す。禁止字句マスタファイル４７はＷＥＢ表示管理システム１で単一のものであり、認証サーバ１１に登録されているユーザグループのグループ名６１ごとに共通の禁止字句（キーワード）６３のデータを有する。禁止字句マスタファイル４７は、後述するユーザごとの禁止字句個別マスタファイル５３を作成するときに元となるファイルである。
【００３８】
例えば図６では、GroupＡ６５には禁止字句６３「飲み会、忘年会、酒、カラオケ」が登録されている。即ち、GroupＡ６５に属するユーザは、基本的にはクライアント端末装置９からこれらの禁止字句６３を含む領域のＷＥＢページ表示を制限される。尚、グループ名６１と禁止字句６３とは、企業等の組織３の管理者が更新、削除、追加登録等を行うことができる。
【００３９】
尚、本実施の形態では、グループ名６１ごとに禁止字句６３を設定する構成にしたが、ユーザごとに禁止字句６３を設定する構成にしても良い。
【００４０】
図７は、ログファイル４９を示す。ログファイル４９はＷＥＢ表示管理システム１で単一のものであり、登録項目は、アクセス日時７１と、ユーザ名７３と、業務名７５と、禁止字句６３と、ＵＲＬ（Uniform Resource Locator）６５とを有する。全てのユーザが禁止字句６３に対して表示要求を行なった履歴を、ログファイル４９として無制限に或いは期限付きで保管する。
【００４１】
尚、業務名７５は、禁止字句６３を表示要求する目的の業務を示すものである。即ちログファイル４９は、業務担当のユーザが「いつ、だれが、何の目的で、どのＷＥＢページを表示したか」を管理することを可能にする。
【００４２】
次に、図８に業務名マスタファイル５１を示す。業務名マスタファイル５１はＷＥＢ表示管理システム１で単一のものであり、業務名７５を一覧として登録してある。後述するが（図１６にて）、ユーザが禁止字句６３を含むＷＥＢページを表示させる時の業務名７５を選択する際に当該業務名マスタファイル５１が用いられる。
【００４３】
続いて、ユーザ別フォルダ４５に登録する禁止字句個別マスタファイル５３−１、５３−２（図９）、禁止字句検出ファイル５５−１、５５−２（図１０）、個別ログファイル５９−１、５９−２（図１１）について説明する。
【００４４】
図９に禁止字句個別マスタファイル５３−１、５３−２を示す。禁止字句個別マスタファイル５３はユーザ個別に登録される。即ち図９（ａ）の禁止字句個別マスタファイル５３−１は、図６に示すGroupＡ６５に属するユーザのものであり、本ＷＥＢ表示管理システム１が起動されると、禁止字句マスタファイル４７（図６）を元にして、GroupＡ６５に属するユーザ個人のファイルとして作成される。
【００４５】
尚、図９（ｂ）の禁止字句個別マスタファイル５３−２は、本ＷＥＢ表示管理システム１動作中に、ユーザが禁止字句６３を含むＷＥＢページの表示要求を行う時、或いはユーザが過去に禁止字句６３を含むＷＥＢページを表示した時に表示解除された禁止字句６３を削除したファイルである。詳細については後述する。
【００４６】
図１０に禁止字句検出ファイル５５−１、５５−２を示す。禁止字句検出ファイル５５は、ユーザ個別に登録される。禁止字句検出ファイル５５の登録項目は、段落番号７７と、禁止字句リスト７９である。後述するが、禁止字句検出ファイル５５−１（図１０（ａ））は、ユーザが指定するＵＲＬ６５のＷＥＢページを表示するソースＨＴＭＬファイル９５（図１７）を、段落に分けて段落番号７７を付与し、それぞれの段落中の禁止字句個別マスタファイル５３−１（図９（ａ））に登録された禁止字句６３を抽出して禁止字句リスト７９にしたファイルである。
【００４７】
尚、禁止字句検出ファイル５５−２（図１０（ｂ））は、ユーザが表示要求を行い書き換えられた加工ＨＴＭＬファイル１０３−２（図１９）を、段落に分けて段落番号７７を付与し、それぞれの段落中の禁止字句個別マスタファイル５３−２（図９（ｂ））に登録された禁止字句６３を抽出して禁止字句リスト７９にしたファイルである。尚、禁止字句個別マスタファイル５３−２（図９（ｂ））は、ユーザが表示要求を行った際に禁止字句６３が削除されたファイルである。
【００４８】
尚、段落番号７７は、例えば図１７に示すソースＨＴＭＬファイル９５を例にとると、タグ＜ｐ＞から、終了タグ＜／ｐ＞の範囲を１段落として判断する。従って、図１７では７箇所の＜ｐ＞＜／ｐ＞があり、７段落に分割される。
【００４９】
次に、図１１（ａ）にUserＡの個別ログファイル５９−１と、図１１（ｂ）にUserＢの個別ログファイル５９−２を示す。個別ログファイル５９は、前述した本システム単一のログファイル４９（図７に示す）をユーザ別に登録したものであり、無期限或いは期限付きで保管しておくことが可能である。個別ログファイル５９の登録項目は、アクセス日時７１、業務名７５、禁止字句６３、ＵＲＬ６５である。
【００５０】
後述するが、本実施の形態により、禁止字句個別マスタファイル５３（図９）から、個別ログファイル５９（図１１）に登録されている禁止字句６３を削除する際、個別ログファイル５９の参照範囲を、例えばアクセス日時７１を参照して「直近１２時間以内のファイルに限定」とする等、範囲を限定しても良い。
【００５１】
（２．処理手順）
次に、図１２乃至図１４により本実施の形態のＷＥＢ表示管理システム１の処理手順を説明する。尚、図１乃至図１１、及び図１５乃至図２０を適宜説明に用いる。
【００５２】
本実施の形態のＷＥＢ表示管理システム１が企業等の組織３に導入されているものとする。尚、事前にデータベース７には組織３の管理者等が禁止字句マスタファイル４７（図６）と業務名マスタファイル５１（図８）を登録する。プロキシサーバ５が起動されるとプロキシサーバ５の制御部１９−１はＲＯＭ２５−１からＯＳ４３を起動後、本実施の形態のＷＥＢ表示管理システム１に係るＷＥＢページ表示制御プログラム４１をハードディスク２７−１からＲＡＭ２３−１にロードする。尚、通常プロキシサーバ５は常時ＯＮ状態にある。
【００５３】
また、ユーザがクライアント端末装置９を起動させると、クライアント端末装置９の制御部１９−２はＲＯＭ２５−２からＯＳ（不図示）を起動する。また、ユーザ指示により制御部１９−２はＷＥＢページ閲覧アプリケーションソフト（不図示）をハードディスク２７−２からＲＡＭ２３−２にロードする（図１２のステップ１０００）。
【００５４】
クライアント端末装置９の制御部１９−２は、前述のＷＥＢページ閲覧アプリケーションソフトにより、ユーザから閲覧を希望するＷＥＢページのＵＲＬ６５リクエストを受ける（ステップ１００１）。例えばユーザが、ＵＲＬ６５「http://www.x.co.jp」の表示をリクエストする。
【００５５】
クライアント端末装置９の制御部１９−２は、表示部３１−２にユーザ情報入力画面８１（図１５）を表示させる。ユーザ情報入力画面８１は、ユーザが外部のネットワーク１５に接続しようとする際に、ユーザ情報（ユーザＩＤ８３とパスワード８５）を入力させる画面である。
【００５６】
制御部１９−２は、ユーザから入力されたユーザＩＤ８３（以降ＩＤ８３、と記載する）とパスワード８５を取得し（ステップ１００２）、リクエストされたＵＲＬ６５とともにプロキシサーバ５の制御部１９−１に送る（ステップ１００３）。尚、制御部１９−２は、別のＵＲＬリクエストを行う際に、再度ＩＤ８３とパスワード８５を取得しなくて済むように、ＩＤ８３とパスワード８５とをＲＡＭ２３−２等に登録しておくようにしても良い。
【００５７】
プロキシサーバ５の制御部１９−１は、ユーザのログイン情報であるＩＤ８３とパスワード８５を認証サーバ１１にて確認させる。ＩＤ８３とパスワード８５が確認できなければ（ステップ１００４のＮＯ）、クライアント端末装置９を外部のネットワーク１５に接続させず、プロキシサーバ５の処理は終了する（ステップ１００５）。尚、プロキシサーバ５の制御部１９−１が、ユーザの認証を認証サーバ１１で行うとしたが、プロキシサーバ５の下でユーザ認証を行うようにしても良い。
【００５８】
制御部１９−１は、認証サーバ１１にてユーザのログイン情報であるＩＤ８３とパスワード８５の認証を受けると（ステップ１００４のＹＥＳ）、認証サーバ１１から当該ユーザの所属するグループ情報を取得し、このグループ情報に基づいてデータベース７に格納された禁止字句マスタファイル４７（図６）からユーザの属するグループ名６１に対応する禁止字句６３群を取得する。例えばユーザがGroupＡ６５に所属しているとすると、禁止字句６３「飲み会、忘年会、酒、カラオケ」を取得し、当該ユーザの禁止字句個別マスタファイル５３−１（図９（ａ）を新たに作成して（ステップ１００６）、データベース７のユーザ別フォルダ４５（図５）に格納する。
【００５９】
次にプロキシサーバ５の制御部１９−１は、当該ユーザがユーザ別フォルダ４５に個別ログファイル５９を有するか否かを確認する（ステップ１００７）。当該ユーザの個別ログファイル５９が存在しなければ（ステップ１００７のＮＯ）、分岐（１）から表示内容の設定を行う処理（ステップ２０００）に進む。即ち、この場合は、ユーザが今まで一度も禁止字句６３を解除した履歴がないことを示す。
【００６０】
当該ユーザがUserＡであるとすると、UserＡの個別ログファイル５９−１（図１１）が既にユーザ別フォルダ４５（図５）に存在する（ステップ１００７のＹＥＳ）。次に制御部１９−１は当該個別ログファイル５９−１に、ユーザから要求されたものと同じＵＲＬ６５が登録されているか否かを確認する（ステップ１００８）。
【００６１】
同じＵＲＬ６５が登録されていなければ（ステップ１００８のＮＯ）、制御部１９−１は分岐（１）から表示内容の設定を行う処理（ステップ２０００）に進む。即ち、この場合は、ユーザが以前禁止字句６３を解除した履歴はあるが、今回要求したＵＲＬ６５ではなかったことを示す。
【００６２】
同じＵＲＬ６５が登録されていたとする、例えばユーザが要求したＵＲＬ６５が「http://www.x.co.jp」であるとすると、制御部１９−１は、UserＡの個別ログファイル５９−１（図１１）に同じＵＲＬ６５の登録があることを確認する（ステップ１００８のＹＥＳ）。制御部１９−１は次に、ユーザに対し業務名７５の入力を要求する（ステップ１００９）。
【００６３】
プロキシサーバ５の制御部１９−１からの業務名７５入力要求を受け、クライアント端末装置９の制御部１９−２は表示部３１−２に業務名入力画面９１を表示させる（ステップ１０１０）。
【００６４】
図１６に業務名入力画面９１を示す。ユーザは、要求したＵＲＬ６５はどの業務で必要な情報であるか、その業務名７５を、業務名入力画面９１の業務名一覧枠９３から選択してＯＫボタン８７をクリックして入力する。クライアント端末装置９の制御部１９−２は入力された業務名７５をプロキシサーバ５に送信する（ステップ１０１１）。
【００６５】
プロキシサーバ５の制御部１９−１は、個別ログファイル５９−１（図１１）に同一のＵＲＬ６５でしかも業務名７５が同一の履歴があるか否かを確認し、業務名７５が異なっていれば（ステップ１０１２のＮＯ）、制御部１９−１は分岐（１）から表示内容の設定を行う処理（ステップ２０００）に進む。即ち、この場合は、ユーザが以前同一のＵＲＬ６５に接続し禁止字句６３を解除した履歴はあるが、その時とは業務名７５が異なっていることを示す。
【００６６】
ステップ１０１２にて、同一のＵＲＬ６５でしかも業務名７５が同一の履歴があると（ステップ１０１２のＹＥＳ）、プロキシサーバ５の制御部１９−１は、個別ログファイル５９−１（図１１）からＵＲＬ６５、業務名７５をキーに禁止字句６３を取得する（ステップ１０１３）。例えばユーザが指定したＵＲＬ６５が「http://www.x.co.jp」、業務名７５が「（株）○○  業務システム」であったとすると、禁止字句６３「忘年会」、「飲み会」を取得する。
【００６７】
次に制御部１９−１は、当該ユーザの禁止字句個別マスタファイル５３−１（図９（ａ））から該当する禁止字句６３「忘年会」、「飲み会」を除去し、禁止字句個別マスタファイル５３−２（図９（ｂ））として保存する（ステップ１０１４）。次に制御部１９−１は分岐（１）から表示内容の設定を行う処理（ステップ２０００）に進む。
【００６８】
続いて図１３の処理に進む。プロキシサーバ５の制御部１９−１は、表示内容の設定を行う（ステップ２０００）。図１４を用いて表示内容設定のステップを説明する。
【００６９】
制御部１９−１は、ユーザからリクエストのあったＵＲＬ６５に対するソースＨＴＭＬファイル９５（図１７参照）をネットワーク１５を介して取得し、ＲＡＭ２３−１の作業領域等に格納する（ステップ２００１）。
【００７０】
次に制御部１９−１は、ソースＨＴＭＬファイル９５（図１７参照）のＨＴＭＬ検出エリアを取得、即ち段落９７を取得する（ステップ２００２）。段落９７を取得するとは、タグ＜ｐ＞と終了タグ＜／ｐ＞の範囲を１段落として取得する。また、段落に含まれる文字などの情報を段落情報９９とする。
【００７１】
次に制御部１９−１は、１段落９７−１について取得した段落情報９９−１（図１７）と、禁止字句個別マスタファイル５３−１（図９（ａ））の情報を比較する（ステップ２００３）。
【００７２】
段落情報９９−１に、禁止字句個別マスタファイル５３−１に格納された禁止字句６３があるか否かを確認し（ステップ２００４）、禁止字句６３がなければ（ステップ２００４のＮＯ）、ステップ２００９に進む。段落情報９９−１には禁止字句個別マスタファイル５３−１に格納された禁止字句６３はないので、ステップ２００９に進み、まだ全ての段落９７を確認していないので（ステップ２００９のＹＥＳ）、ステップ２００２に戻る。
【００７３】
制御部１９−１は次の段落である２段落９７−２を取得し（ステップ２００２）、取得した段落情報９９−２と禁止字句個別マスタファイル５３−１に格納された禁止字句６３とを比較し（ステップ２００３）、禁止字句６３「忘年会、飲み会」を認識する（ステップ２００４のＹＥＳ）。
【００７４】
次に、制御部１９−１は段落番号７７「２段落９７−２」と禁止字句６３「忘年会、飲み会」を禁止字句検出ファイル５５−１（図１０）の１行目に登録する（ステップ２００５）。
【００７５】
次に、制御部１９−１はソースＨＴＭＬファイル９５から段落情報９９（ここでは２段落９７−２の段落情報９９−２）を削除し（ステップ２００６）、段落番号７７を含んだ非表示情報１０１−２（図１８参照）を作成する（ステップ２００７）。非表示情報１０１−２とは、ＷＥＢ表示する際に、２段落９７−２の段落情報９９−２に替えて挿入する「２段落目表示」ボタンを作成する情報（ＨＴＭＬ記述等）である。
【００７６】
次に制御部１９−１は、作成した非表示情報１０１−２を該当段落９７（即ち２段落９７−２）に登録し（ステップ２００８）、加工ＨＴＭＬファイル１０３−１（図１８参照）の作成を開始する。制御部１９−１は、段落９７が終了するまで（段落９７−１乃至段落９７−７）、ステップ２００２からステップ２００９の処理を繰り返し、段落９７が終了すると（ステップ２００９のＮＯ）、制御部１９−１は図１８に示す加工ＨＴＭＬファイル１０３−１の作成を完了する（ステップ２０１０）。
【００７７】
加工ＨＴＭＬファイル１０３−１の作成が完了すると同時に、禁止字句検出ファイル５５−１（図１０（ａ））には段落番号７７ごとに検出された禁止字句６３が禁止字句リスト７９として登録される。尚、禁止字句６３が検出されなかった段落（例えば１段落９７−１）に対応する行は作成されない。
【００７８】
制御部１９−１は表示内容設定処理（ステップ２０００）を終了し（ステップ２０１１）、図１３のステップ２１０１に進む。プロキシサーバ５の制御部１９−１は、加工ＨＴＭＬファイル１０３−１（図１８）をクライアント端末装置９に送り（ステップ２１０１）、クライアント端末装置９の制御部１９−２は表示部３１−２に加工ＨＴＭＬファイル１０３−１をＷＥＢ表示画面１０７として表示する（ステップ２１０２）。
【００７９】
尚、図２０にＷＥＢ表示画面１０７の例を示すが、加工ＨＴＭＬファイル１０３−１（図１８）を表示させると、段落情報９９−１のみが表示され、残りの段落には全て表示ボタン１０５が挿入される。即ちユーザは、現段階では１段落９７−１しか閲覧することができない。
【００８０】
次に、ユーザがＷＥＢ表示画面１０７上の表示ボタン１０５を押下して、当該段落の表示要求を行ったとすると（ステップ２１０３のＹＥＳ）、制御部１９−２は該当する段落番号９７、ＵＲＬ６５、ＩＤ８３をプロキシサーバ５に送信する（ステップ２１０４）。
【００８１】
プロキシサーバ５の制御部１９−１は、ユーザに業務名７５の入力を要求する（ステップ２１０５）。当該要求を受け、クライアント端末装置９の制御部１９−２は表示部３１−２に業務名入力画面９１（図１６）を表示する（ステップ２１０６）。制御部１９−２はユーザから入力された業務名７５を、プロキシサーバ５に送信する（ステップ２１０７）。
【００８２】
プロキシサーバ５の制御部１９−１は、禁止字句検出ファイル５５−１（図１０（ａ））から段落番号７７をキーに禁止字句６３を取得する（ステップ２１０８）。例えばＷＥＢ表示画面１０７の「２段落目表示」の表示ボタン１０５−２（図示せず）が押下されたとすると、制御部１９−１は、禁止字句検出ファイル５５−１（図１０（ａ））から２段落９７−２に格納されている禁止字句６３「忘年会」、「飲み会」を取得する。
【００８３】
次に、制御部１９−１は禁止字句個別マスタファイル５３−１（図９（ａ））から該当する禁止字句６３を削除する（ステップ２１０９）。即ち、禁止字句個別マスタファイル５３−１（図９（ａ））から禁止字句６３「忘年会」、「飲み会」を削除し、禁止字句個別マスタファイル５３−２（図９（ｂ））として更新する。
【００８４】
次に制御部１９−１は、ログファイル４９（図７）、及び個別ログファイル５９−１（図１１）に、解除された禁止字句６３の数の行数分、ログを追加登録し（ステップ２１１０）、表示内容の設定処理（ステップ２０００）に戻る。これによりＷＥＢページの表示制限解除の履歴を管理することができるので、ＷＥＢページの管理が容易になる。
【００８５】
表示内容設定処理（ステップ２０００）では、制御部１９−１は、再度ＵＲＬ６５に対するソースＨＴＭＬファイル９５（図１７）を取得し（ステップ２００１）、段落９７毎の段落情報９９と更新された禁止字句個別マスタファイル５３−２（図９（ｂ））の情報を比較し、禁止字句６３が検出される都度、登録し、新たに禁止字句検出ファイル５５（図１０）を作成する（ステップ２００２〜ステップ２００５）。
【００８６】
禁止字句６３が検出されると、ソースＨＴＭＬファイル９５から段落情報９９を削除して、段落番号７７を含んだ非表示情報１０１を作成して該当段落９７に登録する（ステップ２００６からステップ２００８）。
【００８７】
制御部１９−１は、段落９７全てについてステップ２００２からステップ２００９の処理が終了すると、加工ＨＴＭＬファイル１０３−２（図１９）の作成を完了する。同時に、禁止字句検出ファイル５５−２（図１０（ｂ））には段落番号７７ごとに検出された禁止字句６３が禁止字句リスト７９として登録される。
【００８８】
尚、ここでは前述のステップ２１０３（図１３）において、まずＷＥＢ表示画面１０７の「２段落目表示」の表示ボタン１０５−２（図示せず）が押下され、ステップ２０００の表示内容設定が終了し、続いて表示されたＷＥＢ表示画面１０７の「６段落目表示」の表示ボタン１０５−６（図示せず）が押下されて、ステップ２０００の表示内容設定が終了したものとする。
【００８９】
即ち、禁止字句個別マスタファイル５３−２（図９（ｂ））は当初の禁止字句個別マスタファイル５３−１（図９（ａ））から禁止字句６３が削除され、また禁止字句検出ファイル５５−２（図１０（ｂ））は当初の禁止字句検出ファイル５５−１（図１０（ａ））より禁止字句６３の検出される段落９７が減少（２段落９７−２と６段落９７−６）する。
【００９０】
また、ログファイル４９（図７）と個別ログファイル５９−１（図１１）には、ログが追加登録される。
【００９１】
ここで、加工ＨＴＭＬファイル１０３−２（図１９）は、新たに段落情報９９−２と９９−６が挿入され、制御部１９−２はステップ２１０２（図１３）では、図２０に示すＷＥＢ表示画面１０７をクライアント端末装置９の表示部３１−２に表示する。
【００９２】
ここで、禁止字句６３が解除された段落９７−２、９７−６については、ＷＥＢ表示画面１０７の段落９７−２、９７−６部分全体を禁止字句６３解除が判るような色で文字を表示するようにしても良い。或いは禁止字句６３であったキーワードだけ、例えば「忘年会」、「飲み会」の色を変えて表示させるようにしても良い。
【００９３】
尚、ステップ２１０３（図１３）で、表示ボタン１０５が押下されず（ステップ２１０３のＮＯ）、クライアント端末装置９の制御部１９−２が別のＵＲＬリクエストを受けると（ステップ２１１１のＹＥＳ）、分岐（２）からステップ１００３（図１２）に戻る。また、ＵＲＬリクエストも受けず（ステップ２１１１のＮＯ）、終了しないならば（ステップ２１１２のＮＯ）、待機状態を保つ（ステップ２１１３）。終了するならば（ステップ２１１２のＹＥＳ）、終了処理を行う（ステップ２１１４）。
【００９４】
尚、本実施の形態では、非表示部分の表示要求が行われる都度、加工ＨＴＭＬファイル１０３を作り直す非表示解除方法を説明したが、ソースＨＴＭＬファイル９５の中身を段落毎に保持しておき、表示要求が行われると、表示ボタン１０５と、その表示ボタン１０５の段落に相当するソースＨＴＭＬファイル９５の中身とを入れ替えるようにしても良い。この場合、禁止字句検出ファイル５５（図１０）を作成する際に、段落ごとの禁止字句リスト７９に加えて、段落ごとのソースＨＴＭＬファイル９５の内容（タグ＜ｐ＞と終了タグ＜／ｐ＞との間の文字列等）を保持しておくようにしても良い。
【００９５】
（３．効果等）
このように、本実施の形態では、ネットワーク環境で容易にＷＥＢページの表示制限を行うことができる。また、表示制限を行った部分に対して、ユーザからの表示要求があった場合は、当該表示制限部分を簡単に表示可能にすることができる。
【００９６】
また、本実施の形態では、表示要求があった段落のみを表示するだけではなく、表示要求のあった段落と同様のキーワードを有する段落についても表示することができるので、繁雑な操作を削減し、効率の良いＷＥＢ表示を可能にする。
【００９７】
更に、本発明では管理者がユーザのＷＥＢページ表示解除履歴を容易に管理することが可能であるので、アクセス制御やアクセス管理を行いたい管理者側と、ネットワークに接続して様々なＷＥＢページを閲覧したいというユーザ側との両方に対応することができ、業務効率を上げることが可能となる。
【００９８】
尚、本発明の技術的範囲は、前述した実施の形態に限られるものではない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００９９】
【図１】本実施の形態におけるＷＥＢ表示管理システム１の構成を示す図
【図２】プロキシサーバ５の構成を示す図
【図３】クライアント端末装置９の構成を示す図
【図４】記憶部２１−１を示す図
【図５】データベース７を示す図
【図６】禁止字句マスタファイル４７を示す図
【図７】ログファイル４９を示す図
【図８】業務名マスタファイル５１を示す図
【図９】禁止字句個別マスタファイル５３−１、５３−２を示す図
【図１０】禁止字句検出ファイル５５−１、５５−２を示す図
【図１１】個別ログファイル５９−１、５９−２を示す図
【図１２】ＷＥＢ表示管理のフローチャートを示す図
【図１３】ＷＥＢ表示管理のフローチャートを示す図
【図１４】表示内容設定２０００のフローチャートを示す図
【図１５】ユーザ情報入力画面８１を示す図
【図１６】業務名入力画面９１を示す図
【図１７】ソースＨＴＭＬファイル９５を示す図
【図１８】加工ＨＴＭＬファイル１０３−１を示す図
【図１９】加工ＨＴＭＬファイル１０３−２を示す図
【図２０】ＷＥＢ表示画面１０７を示す図
【符号の説明】
【０１００】
１………ＷＥＢ表示管理システム
３………組織
５………プロキシサーバ
７………データベース
９………クライアント端末装置
１１………認証サーバ
１３………ＬＡＮ
１５………ネットワーク
１７−１〜１７−３………ＷＥＢサーバ
１９−１、１９−２………制御部
２１−１、２１−２………記憶部
２３−１、２３−２………ＲＡＭ
２５−１、２５−２………ＲＯＭ
２７−１、２７−２………ハードディスク
２９−１、２９−２………入力部
３１−１、３１−２………表示部
３３−１、３３−２………メディア入出力部
３５−１、３５−２………印刷部
３７−１、３７−２………通信部
３９−１、３９−２………システムバス
４１………ＷＥＢページ表示制御プログラム
４３………ＯＳ
４５………ユーザ別フォルダ
４７………禁止字句マスタファイル
４９………ログファイル
５１………業務名マスタファイル
５３………禁止字句個別マスタファイル
５５………禁止字句検出ファイル
５７………加工ＨＴＭＬファイル
５９………個別ログファイル
６１………グループ名
６３………禁止字句
６５、６７、６９………グループ（それぞれGroupＡ、GroupＢ、GroupＣ）
７１………アクセス日時
７３………ユーザ名
７５………業務名
７７………段落番号
７９………禁止字句リスト
８１………ユーザ情報入力画面
８３………ユーザＩＤ
８５………パスワード
８７………ＯＫボタン
８９………キャンセルボタン
９１………業務名入力画面
９３………業務名入力枠
９５………ソースＨＴＭＬファイル
９７−１〜９７−７………段落
９９−１〜９９−７………段落情報
１０１−２〜１０１−７………非表示情報
１０３−１、１０３−２………加工ＨＴＭＬファイル
１０５−３、１０５−５、１０５−７………表示ボタン
１０７………ＷＥＢ表示画面
【図１】
0004683407.tif 000002
【図２】
0004683407.tif 000003
【図３】
0004683407.tif 000004
【図４】
0004683407.tif 000005
【図５】
0004683407.tif 000006
【図６】
0004683407.tif 000007
【図７】
0004683407.tif 000008
【図８】
0004683407.tif 000009
【図９】
0004683407.tif 000010
【図１０】
0004683407.tif 000011
【図１１】
0004683407.tif 000012
【図１２】
0004683407.tif 000013
【図１３】
0004683407.tif 000014
【図１４】
0004683407.tif 000015
【図１５】
0004683407.tif 000016
【図１６】
0004683407.tif 000017
【図１７】
0004683407.tif 000018
【図１８】
0004683407.tif 000019
【図１９】
0004683407.tif 000020
【図２０】
0004683407.tif 000021